(57)【要約】本発明は、直立位置の扁平な発送物のための箱状の容器であって、上方で開かれた容器から取外し可能なスタック支持体（１０）と、底部（６）と、２つの狭い端面壁（１）と、２つの側方の長手方向壁（２）とが設けられており、発送物の大きい平坦な側が、前記端面壁（１）の方へ配向されている。側方の長手方向壁（２）の内側が、規則的な間隔をおいて、底部（６）に対して垂直方向に、真っ直ぐな延びを有する長く延びた、上方に開かれた切欠き（３）を有しており、該切欠き（３）が、側方の長手方向壁（２）の長手方向では容器内室へのスリット状の開口よりも幅広になっている。スタック支持体（１０）が、両方の側端に成形エレメント（１３）を有しており、これらの成形エレメント（１３）は、形状接続的な接続により、スリット状の開口を貫通して、長く延びた切欠き（３）内を、底部（６）に対して垂直方向にのみ摺動可能である。
2005534585.tif 000002
【特許請求の範囲】
【請求項１】
直立位置の扁平な発送物のための箱状の容器であって、上方で開かれた容器から取外し可能なスタック支持体（１０）と、底部（６）と、２つの狭い端面壁（１）と、２つの側方の長手方向壁（２）とが設けられており、発送物（９）の大きい平坦な側が、端面壁（１）の方へ配向されており、側方の長手方向壁（２）の内側が、規則的な間隔をおいて、底部（６）に対して垂直方向に、かつ真っ直ぐな延びを有する長く延びた、上方で開かれた切欠き（３）を有しており、該切欠き（３）が、側方の長手方向壁（２）の長手方向では、容器内室へのスリット状の開口よりも幅広になっており、スタック支持体（１０）の両方の側端が、成形エレメント（１３）を有しており、該成形エレメント（１３）が、形状接続的な結合により、スリット状の開口を貫通して、長く延びた切欠き内を、底部（６）に対して垂直方向にのみ摺動可能であり、該底部（６）に、側方の長手方向壁（２）に対して平行に延びる長手方向リブ（７）が位置しており、該長手方向リブ（７）の高さが、側方の長手方向壁（２）から容器の中央へ向かって減少しており、底部（６）に、長手方向リブ（７）により部分横方向リブ（８）に分割された横方向リブが、切欠き（３）の間隔をおいて位置しており、前記部分横方向リブ（８）で、長手方向リブ（７）のための切欠き（１１）を設けられた、完全に容器内に押し込まれたスタック支持体（１０）が、側方の案内部に対して付加的に、スタック圧に抗して支持されることを特徴とする、直立位置の扁平な発送物のための箱状の容器。
【請求項２】
スタック支持体（１０）が、二重壁状に構成されており、それぞれの側に、互いに容器長手方向壁の切欠き（３）の間隔をおいて２つの成形エレメント（１３）を有しており、前記成形エレメント（１３）の端部が、互いに離れるように屈曲されている、請求項１記載の箱状の容器。
【請求項３】
部分横方向リブ（８）が、鋸歯状の横断面を有しており、前記部分横方向リブ（８）の歯尖端が、長手方向リブ（７）の上縁により形成されており、鋸歯状の部分横方向リブ（８）の急峻な歯側面が、容器の長手方向壁（２）の方へ向けられており、該長手方向壁（２）の方へ向かって、発送物（９）の縁部が配向されている、請求項１記載の箱状の容器。
【請求項４】
容器が、次のように、すなわち、複数の容器が、配向が同じ場合には互いに上下にスタック可能であり、かつ互いの配向が、垂直方向軸線を中心として１８０°だけ回転されている場合には、部分的に内外に入れ子状にスタック可能であるように形成されており、スタック支持体（１０）が、次の程度にのみ高く構成されている、すなわち、内外の入れ子状のスタック時には、それぞれ上側の容器の底面（６）に接触しない程度にのみ高く構成されている、請求項１記載の箱状の容器。
【請求項５】
スタック支持体（１０）が、機械的な操作のための位置決め可能なつかみ収容部（１２）を有している、請求項１記載の箱状の容器。
【発明の詳細な説明】
【技術分野】
【０００１】
本発明は、直立位置の扁平な発送物のための箱状の容器であって、上方で開かれた容器から取外し可能なスタック支持体と、底部と、２つの狭い端面壁と、側方の長手方向壁とが設けられている形式のもに関する。発送物は、容器内では大きい面の側が端面壁へ向かって整列されている。
【０００２】
現在の手紙仕分け設備は、毎時約４５，０００までの発送物の最大処理能力を達成する。取出しは一般に手により行われる。すなわち、仕分けされた発送物スタックが手により仕分け装置から郵便物容器内へ積み換えられる。次いで、郵便物容器自体が手により搬送車にスタックされるか、又は現代的なトレイ・マネジメントシステムへ引き渡される。この手によるプロセスは、操作員の高い誤操作率、操作員の高い単調な負担、及び極めてわずかな処理能力に結びいている。仕分け装置へ発送物を供給する場合には、一般には同様に容器から仕分け装置の個別化装置へ手による引き渡しが行われる。それ故、さらなる能力向上は付加的に操作員を必要とし、したがって、仕分け設備の収益性は低下する。
【０００３】
欧州特許第０１０９３２５号明細書、フランス特許第２６２１２９７号明細書には、このために必要とされる郵便物容器が記載されている。これらの郵便物容器はプラスチック（ＰＰ）より成っており、必要とされる形状安定性を得るために種々異なった剛性を有している。これらの容器は次のように、すなわち、相互の配向が互いに同じ場合には上下に重ねてスタック可能であり、かつ相互の配向が垂直方向の軸線を中心として互いに１８０°だけ回転されている場合には内外に入れ子状にスタック可能になっている。
【０００４】
この関連では、直立位置の扁平な発送物のために適した容器が公知である（ドイツ連邦共和国実用新案第８９１３７６０号明細書）。この容器の側方の長手方向壁の内側は規則的な間隔をおいて、取外し可能なスタック支持体のための、底部に対して垂直方向に真っ直ぐな延びを有する長く延びた、上方に開かれた切欠きを有している。これらの切欠きは、側方の長手方向壁の長手方向では、容器内室へのスリット状の開口よりも幅広になっている。前記スタック支持体は、両方の側端に成形エレメントを有している。これらの成形エレメントは、形状接続的な結合により、スリット状の開口を貫通して、長く延びた切欠き内を底部に対して垂直方向にのみ摺動可能である。これらの切欠きは、側方の長手方向壁の長手方向では、スリット状の開口よりも幅広になっている。米国特許第３２００９８３号明細書では、切欠きが、ばち形案内部（Schwalbenschwanzfuehrungen）の形でして構成されている。
【０００５】
さらなる処理能力向上のためには、自動的な装填及び取出し装置及びこのために適宜な郵便物搬送容器の開発が必要である。
【０００６】
このためには、「メールカートリッジシステム（ＭＣＳ）」が公知である（米国特許第６０２６９６７号明細書、国際公開第９７／３６６２３号パンフレット）。この場合には特別な容器が使用される。スタック仕切りそのものとして形成されたこの容器は、スタック機構の前の仕分け装置に直接に懸吊される。仕分けは積換えプロセスなしに直接にカセット状の容器内で行われる。仕分けプロセスの終了後には、カセットは仕分け装置に設けられたロボットにより取り外され、空のカセットにより置き換えられ、バッファシステム又は搬送システムへ引き渡される。このＭＣＳシステムのシステム内在的な欠点は、一方では、高い機能統合性に基づいた複雑で重いカセット、著しく高められた搬送コスト、スタック可能性及び入れ子可能性の欠如、制限された航空貨物可能性であり、他方では、容器のわずかな充填率である。これらの容器にはあとから郵便物を充填することができない。
【０００７】
そこで本発明の課題は、扁平な発送物を収容し、搬送するための、取外し可能なスタック支持体を備えた箱状の容器において、わずかな剛性しか有していない側壁にも関わらず、スタック圧を受け止めるスタック支持体の、スタックサイズに応じた種々異なった位置におけるより安定的な保持が保証されており、かつスタック方向に対して垂直な、発送物の制御不能なすべりが阻止されているものを提供することである。
【０００８】
本発明によれば、この課題は請求項１に記載の特徴により解決される。
【０００９】
容器の側方の長手方向壁の内側が、規則的な間隔をおいて、底部に対して垂直方向に、かつ真っ直ぐな延びを有する長く延びた、上方に開かれた切欠きを有している。これらの切欠きは、側方の長手方向壁の長手方向では、容器内室へのスリット状の開口よりも幅広になっている。両方の側端には、スタック支持体は成形エレメントを有している。これらの成形エレメントは、形状接続的な結合により、スリット状の開口を貫通して、長く延びた切欠き内を、底部に対して鉛直方向にのみ摺動可能である。すなわち、前記スタック支持体は向かい合った２つの切欠き内へ、成形エレメントによって上方から挿入され、底部まで下方へ摺動される。この場合に前記切欠きは次のように選択される、すなわち、それぞれのスタック又は部分スタックが所定のスタック圧下に保持されるように選択される。
【００１０】
容器底部には長手方向リブが位置している。これらの長手方向リブに沿って、発送物を容器長手方向に簡単に摺動することができる。このことは、２つの部分スタックを組み合わせる場合に、又は所定のスタック圧を形成する場合には不可欠である。容器では種々異なったフォーマットの発送物が搬送されるので、搬送の間にスタック方向に対して垂直方向に、より小さい発送物がすべることが阻止されるべきであり、これにより、さらなる処理のために不可欠なスタックパターンが保持される。このことは、長手方向リブの高さが側方の長手方向壁から容器の中央へ向かって減少していることにより達成される。これにより、発送物は容器側壁に隣接する長手方向リブを介して中央へ向かって傾き、前縁により隣接する長手方向リブにひっかかったままになり、これにより摺動が阻止される。
【００１１】
容器の底部には、長手方向リブにより部分横方向リブに分割された横方向リブが切欠きの間隔をおいて位置している。部分横方向リブでは、完全に容器内に押し込まれた、長手方向リブのための切欠を有するスタック支持体が、切欠きにおける側方の案内に対して付加的に、スタック圧に抗して支持され、これにより、スタック支持体に作用する曲げ応力が減じられる。
【００１２】
本発明の有利な構成が、従属請求項に記載されている。
【００１３】
プラスチック（ＰＰ）より成るスタック支持体が不可欠な剛性を有しており、製造コストがわずかに保持されるように、スタック支持体を二重壁に構成し、それぞれの側に互いに容器壁の切欠きの間隔をおいて２つの成形エレメントを設け、これらの成形エレメントの端部が互いに離れるように屈曲されているようにすることは有利である。
【００１４】
部分横方向リブが、有利には鋸歯状の横断面を有している。これらの部分横方向リブの歯尖端は、長手方向リブの上縁により形成される。急峻な歯側面が容器の長手方向壁の方へ向けられている。
【００１５】
容器が次のように、すなわち、複数の容器が、配向が同じ場合には互いに上下にスタック可能であり、かつ互いの配向が鉛直方向軸線を中心として１８０°だけ互いに回転された場合には部分的に内外に入れ子状にスタック可能であるように構成される場合には、スタック支持体は有利には、内外に入れ子状にスタックした場合にそれぞれ上方の容器の底部に接触することがない程度に高く構成されている。これにより、スタック支持体はより安定的な、紛失不能な位置にとどまる。
【００１６】
自動的な積載及び積下しプロセスを可能にするためには、スタック支持体は有利には機械的な操作のための位置決め可能な２つのつかみ収容部を有している。
【００１７】
次いで本発明を図示の実施例につきさらに詳しく説明する。
【００１８】
図１には、本発明による容器が、押し込まれたスタック支持体なしに示されている。この容器は、２つの端面壁１と２つの側方の長手方向壁２とを有している。これらの長手方向壁２には、底部６に対して垂直に真っ直ぐな延びを有する長く延びた、上方に開かれた収容部３が内側に設けられている。側壁１，２は補強部を有しておらず、上部で幾らか外側へずらされており、これにより、内外に入れ子状のスタック（積重ね）が可能となる。端面壁には、手による搬送のための２つのグリップ４及びスタック手段５が位置している。これらのスタック手段５は次のように配置されており、かつ構成されている、すなわち、配向が等しい場合には容器が互いに上下に位置し（上側の容器は下側の容器内へは進入しない）、互いの配向が鉛直方向軸線を中心として１８０°だけ回転させられた場合には、容器が、側壁１，２の外側方向へずらされた部分の高さに応じて、それぞれ上側の容器が下側の容器内へ進入するように配置されており、かつ構成されている。図面から判るように、発送物９は端面壁１に対して平行に直立している。底部６には、側方の長手方向壁２に対して平行に延びる複数の長手方向リブ７が位置している。これらの長手方向リブ７の高さは、長手方向壁から中央へ向かって減少している。これにより、発送物９は内側方向へ傾き、それぞれの発送物９は、それぞれに隣接する長手方向リブ７にひっかかったままになる。なぜならば、長手方向リブ７は、容器中央を越えると再びより高くなるからである。
【００１９】
図２には、このプロセスを良く見ることができる。長手方向リブ７の間には、切欠き３の間隔をおいて部分横方向リブ８が位置している。これらの部分横方向リブ８は鋸歯状の横断面を有しており、これらの部分横方向リブ８の歯尖端は、長手方向リブ７の上縁により形成されている。急峻な歯側面が長手方向壁２の方へ向けられており、この長手方向壁２の方へ向かって、すなわち右側の長手方向壁２へ向かって発送物９が配向され得る。
【００２０】
スタック支持体１０の構成を図３に見ることができる。図から判るように、このスタック支持体１０は二重壁状に構成されており、これにより、曲げ剛性が高められる。さらなる剛性向上のためには、長手方向平面にリブ１４が位置している。スタック支持体１０の上側と下側とは等しく構成されており、これにより、容器の積載及び積下しの自動的なプロセスでスタック支持体１０の配向に注意する必要がない。スタック支持体１０を容器の底部６まで押し込むことができるように、スタック支持体１０の上側及び下側が長手方向リブ７のための切欠き１１を有している。さらに両側には、機械的な操作のための、位置決め可能なつかみ収容部１２が位置している。側方の端部には、スタック支持体１０は、両方の壁の延長部に、互いに容器壁の切欠き３の間隔をおいて、それぞれの側に２つの成形エレメント１３を有している。これらの成形エレメント１３の端部は、互いに離れるように屈曲されている。すなわち、それぞれの側に設けられた両成形エレメント１３は、隣り合った切欠き３内を案内される。
【００２１】
このことは図４に特に良好に示されている。上方で開かれたそれぞれの切欠き３が長方形の横断面を有している。この場合に、容器内部に向けられた終端部には、底部に対して垂直に向けられたギャップが位置している。側方の長手方向壁２に対して平行に延びる長手方向リブ７及び部分横方向リブ８も極めて良好に見ることができる。これらの部分横方向リブ８は、観察者の方へ向けられたギャップ縁部と同一平面に配置されている。
【００２２】
成形エレメント１３は、スタック支持体１０の壁の延長部に屈曲部が設けられたものなので、スタック支持体１０は下部によっても、スタック圧に抗して、より大きい遊びなしに案内されることが保証されている。上方からは角柱状のつかみ収容部１２をも見ることができる。このつかみ収容部１２は、スタック支持体１０におけるつかみの所定の位置を保証する。
【図面の簡単な説明】
【００２３】
【図１】扁平な発送物のための容器をスタック支持体なしに示す斜視図である。
【００２４】
【図２】端面壁に対して容器を平行に断面した図である。
【００２５】
【図３】スタック支持体の斜視図である。
【００２６】
【図４】側方の長手方向壁の切欠き内を示す、容器の部分的な斜視図である。
【図１】
2005534585.tif 000003
【図２】
2005534585.tif 000004
【図３】
2005534585.tif 000005
【図４】
2005534585.tif 000006
【国際調査報告】
2005534585.tif 000007
2005534585.tif 000008
2005534585.tif 000009
2005534585.tif 000010